(57)【要約】【課題】    止水時に、その内部に捕集されたごみがストレーナ収容部材に落下することを防止するとともに、圧力損失の少なくできることができるストレーナを提供する。【解決手段】    ストレーナ流入口６がストレーナふた１０に対し低い位置となるように、ストレーナ１をストレーナ収容部材７に収容するストレーナの取付構造であって、ストレーナ１が、ストレーナ流入口６付近の周縁に取付けられるごみ捕集部材３と、ごみ捕集部材３の取付端部４よりも流入側に取付けられるリブ２と、を備え、ごみ捕集部材３が、止水時にはリブ２に当止され、かつごみを捕集しつつ通水可能である孔部２４を備え、流水時には自由端部５がストレーナふた１０の方向に移動するストレーナ１であるストレーナの取付構造及びこれに用いられるストレーナ１である。【選択図】図１
2006035079.tif 000002
【特許請求の範囲】
【請求項１】
ストレーナ流入口がストレーナふたに対し低い位置となるように、ストレーナをストレーナ収容部材に収容するストレーナの取付構造であって、ストレーナが、ストレーナ流入口付近の周縁に取付けられるごみ捕集部材と、ごみ捕集部材の取付端部よりも流入側に取付けられるリブと、を備え、ごみ捕集部材が、止水時にはリブに当止され、かつごみを捕集しつつ通水可能である孔部を備え、流水時には自由端部がストレーナふたの方向に移動するストレーナであるストレーナの取付構造。
【請求項２】
ごみ捕集部材が線状体又は網状体であることを特徴とする請求項１に記載のストレーナの取付構造。
【請求項３】
ごみ捕集部材の自由端部が、リブに当止されることを特徴とする請求項１又は２のいずれか一つに記載のストレーナの取付構造。
【請求項４】
ごみ捕集部材の比重が、水よりも重いことを特徴とする請求項１〜３のいずれか一つに記載のストレーナの取付構造。
【請求項５】
ストレーナ流入口付近の周縁に取付けられるごみ捕集部材と、ごみ捕集部材の取付端部よりも流入側に取付けられるリブと、を備え、ごみ捕集部材が、止水時にはリブに当止され、かつごみを捕集しつつ通水可能である孔部を備え、流水時には自由端部がストレーナふた方向に移動するストレーナ。
【発明の詳細な説明】
【技術分野】
【０００１】
本発明は、給排水配管の途中に備えられるストレーナ収容部材に収容されるストレーナの取付構造及びこれに用いられるストレーナに関するものである。
【背景技術】
【０００２】
従来から、給排水配管には、水に混入するごみを除去するために配管途中にストレーナ収容部材が備えられ、これにストレーナが収容されることが一般的に行われている。
【０００３】
ここで図８に示す如く、従来のストレーナの取付構造は、ストレーナ本体１５がストレーナふた１０の小径部１２に嵌め合わされた後に、ストレーナ収容部材７に収容され、固定されるものである。そして水が流入側接続口８から流入し、流出側接続口９へ流出すると、水に混入するごみがストレーナ本体１５の外面に付着させられ、捕集されることとなる。
【０００４】
ところが、このようにごみの捕集をストレーナ本体１５の外部から内部へ流水させることで行うと、止水時には、ごみがストレーナ収容部材７の内部に落下し、これがストレーナふた用めねじ部１４に沈着することで、ストレーナふた１０の開閉動作が困難になったり、ごみがそのまま流出側接続口９へと流れてしまう場合がある。
【０００５】
一方、ごみの捕集をストレーナの内部から外部へ流水させることで、ごみのストレーナ収容部材の内部への落下を防止する技術としては、特開２００２−１０２６１６号公報に開示されている技術がある。これはストレーナを取付けたストレーナケース本体に関するもので、このストレーナケース本体底板の流入口周縁に突出するリブを設けることで、ストレーナの内部に捕集されたごみが流入口から水路に落下することを防止するものである。しかし、ごみの捕集を確実に行うためにはリブを大きくしなければならず、これにより圧力損失も大きなものとなる。
【特許文献１】特開２００２−１０２６１６号公報
【発明の開示】
【発明が解決しようとする課題】
【０００６】
本願発明は、上記背景技術に鑑みて発明されたものであり、その課題は、止水時には、その内部に捕集されたごみがストレーナ収容部材の内部に落下することを防止するとともに、流水時には、圧力損失を少なくすることができるストレーナの取付構造及びこれに用いられるストレーナを提供することである。
【課題を解決するための手段】
【０００７】
上記課題を解決するために、本願発明は、ストレーナ流入口がストレーナふたに対し低い位置となるように、ストレーナをストレーナ収容部材に収容するストレーナの取付構造であって、ストレーナが、ストレーナ流入口付近の周縁に取付けられるごみ捕集部材と、ごみ捕集材の取付端部よりも流入側に取付けられるリブと、を備え、ごみ捕集部材が、止水時にはリブに当止され、かつごみを捕集しつつ通水可能である孔部を備え、流水時には自由端部がストレーナふたの方向に移動するストレーナであるストレーナの取付構造である。
【０００８】
また本願発明は、ストレーナが、ストレーナ流入口付近の周縁に取付けられるごみ捕集部材と、ごみ捕集部材の取付端部よりも流入側に取付けられるリブと、を備え、ごみ捕集部材が、止水時にはリブに当止され、かつごみを捕集しつつ通水可能である孔部を備え、流水時には自由端部がストレーナふたの方向に移動するストレーナである。
【発明の効果】
【０００９】
本願発明によれば、流水時には、水の勢いによりごみ捕集部材の自由端部が、ストレーナふた方向に移動することで、ストレーナ流入口の端部開口面積が十分に大きくなるため、ごみ捕集部材による圧力損失を少なくすることができる。また止水時には、水の勢いがなくなることで、ごみ捕集部材がリブに当止され、かつごみを捕集しつつ通水可能である孔部を備えているため、その内部に捕集されたごみがストレーナ収容部材の内部に落下することを防止することができる。さらに構造が簡素であることから、ストレーナ及びストレーナ収容部材を小型化することができる。
【発明を実施するための最良の形態】
【００１０】
図１〜３は、本願の請求項１〜５すべてに対応した第一実施形態であるストレーナの取付構造及びこれに用いられるストレーナを示している。この実施形態のストレーナの取付構造は、図１に示す如く、ストレーナ流入口６がストレーナふた１０に対し低い位置となるように、ストレーナ１をストレーナ収容部材７に収容するストレーナの取付構造であって、ストレーナ１が、ストレーナ流入口６付近の周縁に取付けられるごみ捕集材３と、ごみ捕集材３の取付端部４よりも流入側に取付けられるリブ２と、を備え、ごみ捕集部材３が、止水時にはリブ２に当止され、かつごみを捕集しつつ通水可能である孔部２４を備え、流水時には自由端部５がストレーナふた１０の方向に移動するストレーナ１であるストレーナの取付構造である。
【００１１】
またこの実施形態のストレーナは、図１に示す如く、ストレーナ流入口６付近の周縁に取付けられるごみ捕集部材３と、ごみ捕集部材３の取付端部４よりも流入側に取付けられるリブ２と、を備え、ごみ捕集部材３が、止水時にはリブ２に当止され、かつごみを捕集しつつ通水可能である孔部２４を備え、流水時には自由端部５がストレーナふた１０の方向に移動するストレーナ１である。
【００１２】
以下、この実施形態によるストレーナの取付構造及びこれに用いられるストレーナの第一実施形態を、より具体的詳細に説明する。
【００１３】
最初に、このストレーナ１の取付構造について説明する。これは図１に示す如く、ストレーナ１が、ストレーナ流入口６がストレーナふた１０に対し低い位置となるようにストレーナ収容部材７へ収容されるものである。本第一実施形態では、ストレーナ１のストレーナ流入口６と反対側の開口端部にストレーナふた１０の小径部１２を挿入し、ストレーナ流入口６が鉛直方向下側を向いた状態でストレーナふた１０の大径部１３とストレーナふた用めねじ部１４を嵌め合わせている。またOリング用溝部１６、ストレーナふた１０のつまみ部１１の外周、及び小径部１２に設けた溝部にOリング２３を備えている。
【００１４】
次にストレーナ１について説明する。これは図２（ａ）に示す如く、ストレーナ本体１５のストレーナ流入口６付近にごみ捕集部材３を備え、ごみ捕集部材３の取付端部４よりも流入側にリブ２とを備えてなるものである。本第一実施形態ではストレーナ流入口６側の環状部材１７に内接するようにごみ捕集体２２を取付け、次いでリブ体２１をストレーナ流入口６側の環状部材１７の開口端面に固定した。ここでごみ捕集体２２は、ごみ捕集部材３と、ストレーナ流入口６側の環状部材１７に内接可能である薄輪状の取付基台１９とを有しており、ごみ捕集部材３の取付端部４を、取付基台１９に回動可能に設けたものである。またリブ体２１は、リブ２と、その外側に設けられる外側環状部２０とを有するものである。
【００１５】
次にごみ捕集部材３について説明する。これは、止水時には図２（ｂ）及び図３に示す如く、リブ２に当止され、かつごみを捕集しつつ通水可能である孔部２４を備え、流水時には図２（ａ）に示す如く、自由端部５がストレーナふた１０の方向に移動するように動作するものである。このごみ捕集部材３の材質は金属、ガラス、プラスチック等の水によって変質しないものであれば任意のものを使用できる。同様にごみ捕集部材３の寸法、形状等も設計流量等を考慮して任意のものをすることができる。本第一実施形態では、ごみ捕集部材３の材質と外径をストレーナ本体１５の網部を構成する針金と同じ線状体とし、その取付端部４が、ストレーナ本体１５の内壁面に内接可能である薄輪状の取付基台１９の周縁のほぼ全周に分布し、かつその自由端部５が取付基台１９の中心付近に揃うように向けた状態で設けられるものとした。なお、ごみ捕集部材３の材料の比重は水よりも重く、ごみ捕集部材３の長さはストレーナ本体１５の内部半径と略同等とした。
【００１６】
次にリブ２について説明する。これは図２（ａ）に示す如く、ストレーナ本体１５のストレーナ流入口６付近を補強するとともに、図３に示す如く、止水時にはごみ捕集部材３を当止するものである。このリブ２の材質は金属、ガラス、プラスチック等の水によって変質しないものであれば任意のものを使用できる。同様にリブ２の形状等も設計流量等を考慮して任意のものをすることができる。本第一実施形態では、リブ２は略Y字状の薄板部材とし、その外側に、薄輪状で外径がストレーナ流入口６側の端部外周に設けられた環状部材１７の外径と略同等である、外側環状部２０を設けることでリブ体２１を構成した。
【００１７】
最後にストレーナ本体１５について説明する。これは図２（ａ）に示す如く、内部から外部に流水可能であるとともに、併せて水中に混入するごみを捕集できるもので、通常は網状のものである。このストレーナ本体１５の網目の開きは捕集対象であるごみの種類によって任意のものを設定することができる。同様にストレーナ本体１５の内径、長さ等も設計流量等を考慮して任意のものとすることができる。本第一実施形態ではストレーナ流入口６側の端部外周にOリング用溝部１６を有する環状部材１７を、反対側の端部に、ストレーナふたの小径部と嵌め合わされる環状部材１８を、それぞれ設けている。
【００１８】
本第一実施形態によれば、流水時には、水の勢いによりごみ捕集部材３の自由端部５が、ストレーナふた１０方向に移動することで、ストレーナ流入口６の端部開口面積が十分に大きくなるため、ごみ捕集部材３による圧力損失を少なくすることができる。また止水時には、水の勢いがなくなることで、ごみ捕集部材３がリブ２に当止され、かつごみを捕集しつつ通水可能である孔部２４を備えているため、その内部に捕集されたごみがストレーナ収容部材７の内部に落下することを防止することができる。さらに構造が簡素であることから、ストレーナ１及びストレーナ収容部材７を小型化することができる。
【００１９】
また本第一実施形態によれば、ごみ捕集部材３を線状体としたので、流水の通りがよく、一層、圧力損失を低減することができる。
【００２０】
また本第一実施形態によれば、ごみ捕集部材３の自由端部５がリブ２に当止されるので、止水時にリブ２が確実にごみ捕集部材３を支持できるので、確実にストレーナ１内部に捕集されたごみがストレーナ収容部材７に落下することを防止できる。
【００２１】
また本第一実施形態によれば、ごみ捕集部材３の比重が、水よりも重いので、止水時には、ごみ捕集部材３の自由端部５が、自重により能動的にリブ２に接触しようとすることから、容易にストレーナ１内部に捕集されたごみがストレーナ収容部材７に落下することを防止できる。
【００２２】
また本願発明の第二実施形態を図４〜５に示す。これは前記第一実施形態のストレーナの取付構造及びストレーナにおいて、ストレーナ本体１５を矩形としたこと、ごみ捕集部材３をストレーナ本体１５の流入方向垂直な断面と略同形状の網状体としたこと、取付基台１９を薄板状とし、かつごみ捕集部材３の一辺に設けたこと、ごみ捕集部材３の辺であって、取付基台１９が設けられていない三辺が、コの字状の薄板部材であるリブ２に当止されること、としたものであり、その他については第一実施形態と同じである。これにより、ごみ捕集部材３を網状体としたので、流水の通りがよく、一層、圧力損失を低減することができる。
【００２３】
また本願発明の第三実施形態を図６〜７に示す。これは前記第一実施形態のストレーナの取付構造及びストレーナにおいて、ごみ捕集部材３の自由端部５が取付基台１９の一の直径上に対向して揃う状態で設けられたこと、ごみ捕集部材３が、取付端部４と自由端部５の略中心で薄板部材であるリブ２に当止されること、としたものであり、その他については第一実施形態と同じである。これによりストレーナ１の断面中心付近の流水の通りがよく、一層、圧力損失を低減することができる。
【００２４】
また以上の通り、上記実施形態では、図２（ａ）に示す如く、ごみ捕集部材３は、取付基台１９の周縁のほぼ全周に分布するように取り付けたが、取付基台１９を使用することなく、ごみ捕集部材３を直接にストレーナ本体１５に備えてもよい。同様にリブ２も外側環状部２０を使用することなく、直接にストレーナ本体１５に備えてもよい。
【図面の簡単な説明】
【００２５】
【図１】本願発明の第一実施形態であるストレーナ及びこれをストレーナ収容部材に収容したストレーナの取付構造の縦断面図。
【図２】本願発明の第一実施形態であるストレーナの組立状況を示すものであって、（ａ）は流水時における分解斜視図、（ｂ）は止水時における分解斜視図。
【図３】本願発明の第一実施形態であるストレーナのごみ捕集部材をリブが当止した状態における流入方向からみたストレーナ内部の平面図。
【図４】本願発明の第二実施形態であるストレーナの組立状況を示すものであって、止水時における分解斜視図。
【図５】本願発明の第二実施形態であるストレーナのごみ捕集部材をリブが当止した状態における流入方向からみたストレーナ内部の平面図。
【図６】本願発明の第三実施形態であるストレーナの組立状況を示すものであって、止水時における分解斜視図。
【図７】本願発明の第三実施形態であるストレーナのごみ捕集部材をリブが当止した状態における流入方向からみたストレーナ内部の平面図。
【図８】従来のストレーナ及びこれをストレーナ収容部材に収容したストレーナの取付構造の縦断面図。
【符号の説明】
【００２６】
１  ストレーナ
２  リブ
３  ごみ捕集部材
４  取付端部
５  自由端部
６  ストレーナ流入口
７  ストレーナ収容部材
８  流入側接続口
９  流出側接続口
１５  ストレーナ本体
１７  環状部材
１８  ストレーナふたの小径部と嵌め合わされる環状部材
１９  取付基台
２０  外側環状部
２１  リブ体
２２  ごみ捕集体
２３  Ｏリング
２４  孔部
【図１】
2006035079.tif 000003
【図２】
2006035079.tif 000004
【図３】
2006035079.tif 000005
【図４】
2006035079.tif 000006
【図５】
2006035079.tif 000007
【図６】
2006035079.tif 000008
【図７】
2006035079.tif 000009
【図８】
2006035079.tif 000010